(57)【要約】【課題】  所定施設内に存在する利用者にのみコンテンツ配信サービスを提供する。【解決手段】  配信サービス提供システムが、入退場管理機器１、ＩＤ管理機器２及び配信サービス提供機器３を備える。入退場管理機器１は、所定エリア内に入場及び退場した利用者のチケットＩＤを入力してＩＤ管理機器２に送信する。ＩＤ管理機器２は、入場時に入力されたチケットＩＤを受信してＩＤ管理ＤＢ２３１に登録し、且つ、退場時に入力されたチケットＩＤをＩＤ管理ＤＢ２３１から抹消する。ＩＤ管理機器２は、利用者機器４からチケットＩＤ及び利用者機器ＩＤのＩＤセットとコンテンツ要求とを受信し、そのＩＤセットと一致するＩＤセットがＤＢ２３１に存在する否かの判断を行って判断結果を出力する。提供機器３は、出力された判断結果が肯定的であれば、デジタルコンテンツを利用者機器４に配信する。【選択図】図１
2005165406.tif 000002
【特許請求の範囲】
【請求項１】
所定エリア内に入場した利用者のチケットに付与されたチケットＩＤを入力して送出する入場検出手段と、
所定エリア外へ退場する前記利用者の前記チケットＩＤを入力して送出する退場検出手段と、
前記入場検出手段から送出されたチケットＩＤを受信してＩＤ記憶手段に登録し、且つ、前記退場検出手段から送出されたチケットＩＤを受信し、そのチケットＩＤと一致するチケットＩＤを前記ＩＤ記憶手段から抹消するＩＤ管理手段と、
チケットＩＤ及び利用者機器ＩＤを記憶した利用者機器から、そのチケットＩＤ及び利用者機器ＩＤのＩＤセットとコンテンツ要求とを受信する要求受信手段と、
前記受信したコンテンツ要求に応答して、前記受信したＩＤセットに一致するＩＤセットが前記ＩＤ記憶手段に存在する否かの判断を行ってその判断結果を出力するＩＤ照合手段と、
前記出力された判断結果が肯定的であれば、所定の又はコンテンツ要求から特定される前記利用者所望のデジタルコンテンツを前記利用者機器に配信するコンテンツ配信手段と
を備えるサービス提供システム。
【請求項２】
前記ＩＤ照合手段は、前記受信したＩＤセット中の受信チケットＩＤと一致する一致チケットＩＤが前記ＩＤ記憶手段内に存在するが、その一致チケットＩＤに対応した利用者機器ＩＤが前記ＩＤ記憶手段内に存在しない場合には、前記受信したＩＤセット中の利用者機器ＩＤを、前記一致チケットＩＤに対応付けて前記ＩＤ記憶手段に登録し、且つ、肯定的な結果を表す判断結果を出力する、
請求項１記載のサービス提供システム。
【請求項３】
前記ＩＤ記憶手段には、１以上のチケットＩＤ及び／又は利用者機器ＩＤを含む１又は複数のＩＤセットグループが登録されており、
前記コンテンツ配信手段は、前記ＩＤセットグループに基づいて、デジタルコンテンツの配信を行う、
請求項１記載のサービス提供システム。
【請求項４】
前記所定エリア内に分散配置されたアクセスポイント端末、前記サービス利用機器、前記利用者が使用可能な別の情報処理端末、及び、前記チケットＩＤを付与した前記チケットを発行するチケット購入受付端末の少なくとも一つの機器から１以上のチケットＩＤ及び／又は利用者機器ＩＤを受信するＩＤ受信手段と、
前記受信した１以上のチケットＩＤ及び／又は利用者機器ＩＤを含むグループに関するグループ情報を前記ＩＤ記憶手段に登録するグルーピング手段と
を更に備える請求項３記載のサービス提供システム。
【請求項５】
前記利用者機器が外部機器との間で通話及び／又はデータ送受信を行うことが可能になっている場合において、
前記所定エリア内に利用者が入場した後、所定のタイミングで、前記利用者機器が通話及び／又はデータ送受信を行うことを不可能な状態にする通信不可制御手段を更に備える、
請求項１記載のサービス提供システム。
【請求項６】
所定エリア内に入場した利用者のチケットに付与されたチケットＩＤを入力して送出する入場検出手段と、
所定エリア外へ退場する前記利用者の前記チケットＩＤを入力して送出する退場検出手段と、
前記入場検出手段から送出されたチケットＩＤを受信してＩＤ記憶手段に登録し、且つ、前記退場検出手段から送出されたチケットＩＤを受信し、そのチケットＩＤと一致するチケットＩＤを前記ＩＤ記憶手段から抹消するＩＤ管理手段と、
前記所定エリア内に分散配置された複数のアクセスポイント端末と、
チケットＩＤを入力して記憶した利用者機器から、或る前記アクセスポイント端末を介して、前記記憶されたチケットＩＤとコンテンツ要求とを受信する要求受信手段と、
前記受信したコンテンツ要求に応答して、前記受信したチケットＩＤに一致するチケットＩＤが前記ＩＤ記憶手段に存在する否かの判断を行ってその判断結果を出力するＩＤ照合手段と、
前記出力された判断結果が肯定的であれば、所定の又はコンテンツ要求から特定される前記利用者所望のデジタルコンテンツを、前記或るアクセスポイント端末を介して前記利用者機器に配信するコンテンツ配信手段と
を備えるサービス提供システム。
【請求項７】
所定エリア内に入場した利用者のチケットに付与されたチケットＩＤを入力して送出する入場検出手段と、
所定エリア外へ退場する前記利用者の前記チケットＩＤを入力して送出する退場検出手段と、
前記入場検出手段から送出されたチケットＩＤを受信してＩＤ記憶手段に登録し、且つ、前記退場検出手段から送出されたチケットＩＤを受信し、そのチケットＩＤと一致するチケットＩＤを前記ＩＤ記憶手段から抹消するＩＤ管理手段と、
前記所定エリア内に分散配置されたアクセスポイント端末、前記サービス利用機器、前記利用者が使用可能な別の情報処理端末、及び、前記チケットＩＤを付与した前記チケットを発行するチケット購入受付端末の少なくとも一つの機器から１以上のチケットＩＤを受信するＩＤ受信手段と、
前記受信した１以上のチケットＩＤを含むグループに関するグループ情報を前記ＩＤ記憶手段に登録するグルーピング手段と、
チケットＩＤを入力して記憶した利用者機器から、そのチケットＩＤとコンテンツ要求とを受信する要求受信手段と、
前記受信したコンテンツ要求に応答して、前記受信したチケットＩＤに一致するチケットＩＤが前記ＩＤ記憶手段に存在する否かの判断を行ってその判断結果を出力するＩＤ照合手段と、
前記出力された判断結果が肯定的であれば、前記グループ情報に基づいて、所定の又はコンテンツ要求から特定される前記利用者所望のデジタルコンテンツを前記利用者機器に配信するコンテンツ配信手段と
を備えるサービス提供システム。
【請求項８】
所定エリア内に入場した利用者のチケットに付与されたチケットＩＤを入力して送出する入場検出手段と、
所定エリア外へ退場する前記利用者の前記チケットＩＤを入力して送出する退場検出手段と、
前記入場検出手段から送出されたチケットＩＤを受信してＩＤ記憶手段に登録し、且つ、前記退場検出手段から送出されたチケットＩＤを受信し、そのチケットＩＤと一致するチケットＩＤを前記ＩＤ記憶手段から抹消するＩＤ管理手段と、
チケットＩＤを入力して記憶した利用者機器から、そのチケットＩＤとコンテンツ要求とを受信する要求受信手段と、
前記受信したコンテンツ要求に応答して、前記受信したチケットＩＤに一致するチケットＩＤが前記ＩＤ記憶手段に存在する否かの判断を行ってその判断結果を出力するＩＤ照合手段と、
前記出力された判断結果が肯定的であれば、所定の又はコンテンツ要求から特定される前記利用者所望のデジタルコンテンツを前記利用者機器に配信するコンテンツ配信手段と
を備え、
前記チケットＩＤには、前記チケットの属性及び／又は前記チケットを持つ前記利用者に関する属性を含んだチケットＩＤ種別が含まれており、
前記コンテンツ配信手段は、前記チケットＩＤ種別に基づくデジタルコンテンツを前記利用者機器に配信する、
サービス提供システム。
【請求項９】
利用者が持つ利用者機器において、
利用者に発行されたチケットに付与されているチケットＩＤを入力するチケットＩＤ入力手段と、
前記利用者機器の利用者機器ＩＤと、前記入力されたチケットＩＤとを記憶するＩＤ記憶手段と、
前記記憶されたチケットＩＤ及び利用者機器ＩＤのＩＤセットとコンテンツ要求とを、デジタルコンテンツを配信するコンテンツ配信手段を備えるシステムに送信する要求送信手段と
を備える利用者機器。
【請求項１０】
所定エリア内に入場した利用者のチケットに付与されたチケットＩＤを入力して送出するステップと、
所定エリア外へ退場する前記利用者の前記チケットＩＤを入力して送出するステップと、
前記入場した場合に送出されたチケットＩＤを受信してＩＤ記憶手段に登録するステップと、
前記退場する場合に送出されたチケットＩＤを受信し、そのチケットＩＤと一致するチケットＩＤを前記ＩＤ記憶手段から抹消するステップと、
チケットＩＤ及び利用者機器ＩＤを記憶した利用者機器から、そのチケットＩＤ及び利用者機器ＩＤのＩＤセットとコンテンツ要求とを受信するステップと、
前記受信したコンテンツ要求に応答して、前記受信したＩＤセットに一致するＩＤセットが前記ＩＤ記憶手段に存在する否かの判断を行ってその判断結果を出力するステップと、
前記出力された判断結果が肯定的であれば、所定の又はコンテンツ要求から特定される前記利用者所望のデジタルコンテンツを前記利用者機器に配信するステップと
を有するサービス提供方法。
【請求項１１】
所定エリア内に入場した利用者のチケットに付与されたチケットＩＤを入力して送出するステップと、
所定エリア外へ退場する前記利用者の前記チケットＩＤを入力して送出するステップと、
前記入場した場合に送出されたチケットＩＤを受信してＩＤ記憶手段に登録するステップと
前記退場する場合に送出されたチケットＩＤを受信し、そのチケットＩＤと一致するチケットＩＤを前記ＩＤ記憶手段から抹消するステップと、
チケットＩＤを入力して記憶した利用者機器から、前記所定エリア内に分散配置された複数のアクセスポイント端末のうちの或るアクセスポイント端末を介して、前記記憶されたチケットＩＤとコンテンツ要求とを受信するステップと、
前記受信したコンテンツ要求に応答して、前記受信したチケットＩＤに一致するチケットＩＤが前記ＩＤ記憶手段に存在する否かの判断を行ってその判断結果を出力するステップと、
前記出力された判断結果が肯定的であれば、所定の又はコンテンツ要求から特定される前記利用者所望のデジタルコンテンツを、前記或るアクセスポイント端末を介して前記利用者機器に配信するステップと
を有するサービス提供方法。
【請求項１２】
所定エリア内に入場した利用者のチケットに付与されたチケットＩＤを入力して送出するステップと、
所定エリア外へ退場する前記利用者の前記チケットＩＤを入力して送出するステップと、
前記入場した場合に送出されたチケットＩＤを受信してＩＤ記憶手段に登録するステップと、
前記退場する場合に送出されたチケットＩＤを受信し、そのチケットＩＤと一致するチケットＩＤを前記ＩＤ記憶手段から抹消するステップと、
前記所定エリア内に分散配置されたアクセスポイント端末、前記サービス利用機器、前記利用者が使用可能な別の情報処理端末、及び、前記チケットＩＤを付与した前記チケットを発行するチケット購入受付端末の少なくとも一つの機器から１以上のチケットＩＤを受信するステップと、
前記受信した１以上のチケットＩＤを含むグループに関するグループ情報を前記ＩＤ記憶手段に登録するステップと、
チケットＩＤを入力して記憶した利用者機器から、そのチケットＩＤとコンテンツ要求とを受信するステップと、
前記受信したコンテンツ要求に応答して、前記受信したチケットＩＤに一致するチケットＩＤが前記ＩＤ記憶手段に存在する否かの判断を行ってその判断結果を出力するステップと、
前記出力された判断結果が肯定的であれば、前記グループ情報に基づいて、所定の又はコンテンツ要求から特定される前記利用者所望のデジタルコンテンツを前記利用者機器に配信するステップと
を有するサービス提供方法。
【請求項１３】
所定エリア内に入場した利用者のチケットに付与されたチケットＩＤを入力して送出するステップと、
所定エリア外へ退場する前記利用者の前記チケットＩＤを入力して送出するステップと、
前記入場した場合に送出されたチケットＩＤを受信してＩＤ記憶手段に登録するステップと、
前記退場する場合に送出されたチケットＩＤを受信し、そのチケットＩＤと一致するチケットＩＤを前記ＩＤ記憶手段から抹消するステップと、
チケットＩＤを入力して記憶した利用者機器から、そのチケットＩＤとコンテンツ要求とを受信するステップと、
前記受信したコンテンツ要求に応答して、前記受信したチケットＩＤに一致するチケットＩＤが前記ＩＤ記憶手段に存在する否かの判断を行ってその判断結果を出力するステップと、
前記出力された判断結果が肯定的であれば、所定の又はコンテンツ要求から特定される前記利用者所望のデジタルコンテンツを前記利用者機器に配信するステップと
を有し、
前記チケットＩＤには、前記チケットの属性及び／又は前記チケットを持つ前記利用者に関する属性を含んだチケットＩＤ種別が含まれており、
前記配信するステップでは、前記チケットＩＤ種別に基づくデジタルコンテンツを前記利用者機器に配信する、
サービス提供方法。
【請求項１４】
利用者が入場したことを検出する入場検出手段と、利用者が使用する利用者機器を用いたサービス提供システムであって、
チケットＩＤを入場検出手段に入力し、所定の利用者機器ＩＤを有する利用者機器がコンテンツ要求を送信した場合には、前記利用者機器だけがコンテンツを受信することができることを特徴とするサービス提供システム。
【発明の詳細な説明】
【技術分野】
【０００１】
本発明は、所定施設内に存在する利用者にサービスを提供するための技術に関する。
【背景技術】
【０００２】
例えば、列車などの移動空間内において、デジタルコンテンツ（以下、「コンテンツ」と略記）の配信を行うサービスが提案されている。この場合、コンテンツの受信は、無線受信可能な範囲内で行うか、移動空間内に設けられた有線インタフェースに接続することにより行う(特許文献１参照)。
【特許文献１】特開２００２−７４０１５号公報（第４−６頁、第１図）
【発明の開示】
【発明が解決しようとする課題】
【０００３】
特許文献１に開示の技術では、コンテンツの配信サービスが行われているものの、移動空間内でのみのデジタルコンテンツ受信に主眼が置かれているため、例えば、駅構内での列車待合せ時にはこの配信サービスは受けられない。また、仮に、駅構内で無線によるコンテンツ配信を行った場合、駅構内と外を明確に分けることは難しく、利用者を施設利用者や乗客に限定してコンテンツを提供することが困難になる。なぜなら、駅や遊園地の外でも無線電波が届くところであれば、それはコンテンツ受信が可能であることを意味するからである。
【０００４】
本発明は、上記のような問題点を鑑みて考案されたものであり、その目的は、所定施設内に存在する利用者にのみコンテンツ配信サービスを提供することにある。
【０００５】
本発明の他の目的は、後述の説明から明らかになるであろう。
【課題を解決するための手段】
【０００６】
本発明の第１の側面に従うサービス提供システム（以下、第１提供システム）は、所定エリア内に入場した利用者のチケットに付与されたチケットＩＤを入力して送出する入場検出手段と、所定エリア外へ退場する前記利用者の前記チケットＩＤを入力して送出する退場検出手段と、前記入場検出手段から送出されたチケットＩＤを受信してＩＤ記憶手段に登録し、且つ、前記退場検出手段から送出されたチケットＩＤを受信し、そのチケットＩＤと一致するチケットＩＤを前記ＩＤ記憶手段から抹消するＩＤ管理手段と、チケットＩＤ及び利用者機器ＩＤを記憶した利用者機器から、そのチケットＩＤ及び利用者機器ＩＤのＩＤセットとコンテンツ要求とを受信する要求受信手段と、前記受信したコンテンツ要求に応答して、前記受信したＩＤセットに一致するＩＤセットが前記ＩＤ記憶手段に存在する否かの判断を行ってその判断結果を出力するＩＤ照合手段と、前記出力された判断結果が肯定的であれば、所定の又はコンテンツ要求から特定される前記利用者所望のデジタルコンテンツを前記利用者機器に配信するコンテンツ配信手段とを備える。
【０００７】
ここで、「チケット」は、紙等の物理的な媒体であっても良いし、電子的なデータであっても良い。その電子データは、カード型メモリ又はＩＣカード等の可搬型記憶媒体に格納されて、それにより、その可搬型記憶媒体がチケットとされても良い（以下、その可搬型記憶媒体を「チケット記憶媒体」と称する）。
【０００８】
また、「チケットＩＤ」は、物理的媒体に印刷される文字、数字、その他の符号又はそれらの組合せであっても良いし、バーコード又は画像等であっても良い。また、「チケットＩＤ」は、電子データであっても良い。
【０００９】
入場検出手段及び退場検出手段は、人間のキー操作によるチケットＩＤの入力、バーコードリーダによるバーコード（チケットＩＤ）の読取り、画像撮影装置による画像（チケットＩＤ）の撮影、又は、チケット記憶媒体と接触式又は非接触式による電子データ（チケットＩＤ）の読み出しによって、チケットＩＤを入力しても良い。
【００１０】
また、「入場した」とは、例えば、入場中、入場直後、入場後の退場するまでにおける利用者任意のタイミングであっても良い。
【００１１】
また、「退場する」とは、例えば、入場後の退場するまでにおける利用者任意のタイミング、退場直前、退場中、又は退場直後であっても良い。
【００１２】
また、「利用者機器」は、利用者が利用可能な通信機器であれば、種々のものを採用することができる。例えば、携帯電話機、ＰＨＳ（Personal Handy phone System）又はＰＤＡ（Personal Digital Assistants）等を採用することができる。
【００１３】
また、利用者機器は、人間のキー操作によるチケットＩＤの入力、バーコードリーダによるバーコード（チケットＩＤ）の読取り、画像撮影装置による画像（チケットＩＤ）の撮影、又は、チケット記憶媒体と接触式又は非接触式による電子データ（チケットＩＤ）の読み出しによって、チケットＩＤを入力することにより、チケットＩＤを所定記憶装置（例えばメモリ又はハードディスク）に記憶しても良い。
【００１４】
また、「利用者機器ＩＤ」は、利用者機器を一意に識別するための情報であり、例えば、製造番号、電子メールアドレス及び携帯電話番号のうちの少なくとも１つを含んだ情報とすることができる。
【００１５】
また、「デジタルコンテンツ」は、種々のコンテンツを採用可能である。例えば、デジタルコンテンツは、文字、動画像、静止画像、音声又はそれらの組み合わせであっても良い。また、第１提供システムが、所定エリア内に存在する１以上の利用者機器の各々の位置を検出する位置検出手段を備えている場合、その位置検出結果に応じて提供するデジタルコンテンツ、例えば、所定エリアのどのサブエリアが混雑しているかを示す情報、利用者が指定した他人の利用者機器の位置を示す情報等であっても良い。
【００１６】
第１提供システムの第１の好適な実施形態では、前記ＩＤ照合手段は、前記受信したＩＤセット中の受信チケットＩＤと一致する一致チケットＩＤが前記ＩＤ記憶手段内に存在するが、その一致チケットＩＤに対応した利用者機器ＩＤが前記ＩＤ記憶手段内に存在しない場合には、前記受信したＩＤセット中の利用者機器ＩＤを、前記一致チケットＩＤに対応付けて前記ＩＤ記憶手段に登録し、且つ、肯定的な結果を表す判断結果を出力する。
【００１７】
第１提供システムの第２の好適な実施形態では、前記ＩＤ記憶手段には、１以上のチケットＩＤ及び／又は利用者機器ＩＤを含む１又は複数のＩＤセットグループが登録されており、前記コンテンツ配信手段は、前記ＩＤセットグループに基づいて、デジタルコンテンツの配信を行う。
【００１８】
第１提供システムの第３の好適な実施形態では、第２の好適な実施形態において、第１提供システムが、前記所定エリア内に分散配置されたアクセスポイント端末、前記サービス利用機器、前記利用者が使用可能な別の情報処理端末（例えばパーソナルコンピュータ等）、及び、前記チケットＩＤを付与した前記チケットを発行するチケット購入受付端末の少なくとも一つの機器から１以上のチケットＩＤ及び／又は利用者機器ＩＤを受信するＩＤ受信手段と、前記受信した１以上のチケットＩＤ及び／又は利用者機器ＩＤを含むグループに関するグループ情報（例えば、生成されたグループＩＤ）を前記ＩＤ記憶手段に登録するグルーピング手段とを更に備える。この場合、コンテンツ配信手段は、そのグループ情報に基づいてコンテンツを配信しても良い。例えば、或る利用者機器にコンテンツを配信する際、その利用者機器から受信したチケットＩＤ及び／又は利用者機器ＩＤと同一のグループに属する１以上の別のチケットＩＤ及び／又は利用者機器ＩＤをそれぞれ記憶する１以上の別の利用者機器に、同一の又はそれと関連する別のコンテンツを配信しても良い。
【００１９】
第１提供システムの第４の好適な実施形態では、前記利用者機器が外部機器との間で通話及び／又はデータ送受信を行うことが可能になっている場合において、第１提供システムが、前記所定エリア内に利用者が入場した後、所定のタイミングで、前記利用者機器が通話及び／又はデータ送受信を行うことを不可能な状態にする通信不可制御手段を更に備える。この「通信不可制御手段」は、利用者機器に備えられても良いし、利用者機器の外部機器に備えられていても良い。「通話及び／又はデータ送受信を行うことを不可能な状態にする」とは、例えば、通話においては、呼びを発すること及び呼びを受けることの少なくとも一方、データ送受信においては、データを送信すること及び受信することの少なくとも一方を不可能な状態にすることである。「不可能な状態」とは、例えば、利用者機器が携帯電話機等の無線通話及び無線データ送受信を行う機器の場合、利用者機器に対して、仮想的に、無線通話及び／又は無線データ送受信が不可能な圏外領域に存在することを認識させる状態のこと、或いは、通話ボタンやデータ送信ボタンの受付を拒否することであっても良い。
【００２０】
本発明の第２の側面に従うサービス提供システム（以下、第２提供システム）は、所定エリア内に入場した利用者のチケットに付与されたチケットＩＤを入力して送出する入場検出手段と、所定エリア外へ退場する前記利用者の前記チケットＩＤを入力して送出する退場検出手段と、前記入場検出手段から送出されたチケットＩＤを受信してＩＤ記憶手段に登録し、且つ、前記退場検出手段から送出されたチケットＩＤを受信し、そのチケットＩＤと一致するチケットＩＤを前記ＩＤ記憶手段から抹消するＩＤ管理手段と、前記所定エリア内に分散配置された複数のアクセスポイント端末と、チケットＩＤを入力して記憶した利用者機器から、或る前記アクセスポイント端末を介して、前記記憶されたチケットＩＤとコンテンツ要求とを受信する要求受信手段と、前記受信したコンテンツ要求に応答して、前記受信したチケットＩＤに一致するチケットＩＤが前記ＩＤ記憶手段に存在する否かの判断を行ってその判断結果を出力するＩＤ照合手段と、前記出力された判断結果が肯定的であれば、所定の又はコンテンツ要求から特定される前記利用者所望のデジタルコンテンツを、前記或るアクセスポイント端末を介して前記利用者機器に配信するコンテンツ配信手段とを備える。
【００２１】
本発明の第３の側面に従うサービス提供システム（以下、第３提供システム）は、所定エリア内に入場した利用者のチケットに付与されたチケットＩＤを入力して送出する入場検出手段と、所定エリア外へ退場する前記利用者の前記チケットＩＤを入力して送出する退場検出手段と、前記入場検出手段から送出されたチケットＩＤを受信してＩＤ記憶手段に登録し、且つ、前記退場検出手段から送出されたチケットＩＤを受信し、そのチケットＩＤと一致するチケットＩＤを前記ＩＤ記憶手段から抹消するＩＤ管理手段と、前記所定エリア内に分散配置されたアクセスポイント端末、前記サービス利用機器、前記利用者が使用可能な別の情報処理端末、及び、前記チケットＩＤを付与した前記チケットを発行するチケット購入受付端末の少なくとも一つの機器から１以上のチケットＩＤを受信するＩＤ受信手段と、前記受信した１以上のチケットＩＤを含むグループに関するグループ情報を前記ＩＤ記憶手段に登録するグルーピング手段と、チケットＩＤを入力して記憶した利用者機器から、そのチケットＩＤとコンテンツ要求とを受信する要求受信手段と、前記受信したコンテンツ要求に応答して、前記受信したチケットＩＤに一致するチケットＩＤが前記ＩＤ記憶手段に存在する否かの判断を行ってその判断結果を出力するＩＤ照合手段と、前記出力された判断結果が肯定的であれば、前記グループ情報に基づいて、所定の又はコンテンツ要求から特定される前記利用者所望のデジタルコンテンツを前記利用者機器に配信するコンテンツ配信手段とを備える。
【００２２】
本発明の第４の側面に従うサービス提供システム（以下、第４提供システム）は、所定エリア内に入場した利用者のチケットに付与されたチケットＩＤを入力して送出する入場検出手段と、所定エリア外へ退場する前記利用者の前記チケットＩＤを入力して送出する退場検出手段と、前記入場検出手段から送出されたチケットＩＤを受信してＩＤ記憶手段に登録し、且つ、前記退場検出手段から送出されたチケットＩＤを受信し、そのチケットＩＤと一致するチケットＩＤを前記ＩＤ記憶手段から抹消するＩＤ管理手段と、チケットＩＤを入力して記憶した利用者機器から、そのチケットＩＤとコンテンツ要求とを受信する要求受信手段と、前記受信したコンテンツ要求に応答して、前記受信したチケットＩＤに一致するチケットＩＤが前記ＩＤ記憶手段に存在する否かの判断を行ってその判断結果を出力するＩＤ照合手段と、前記出力された判断結果が肯定的であれば、所定の又はコンテンツ要求から特定される前記利用者所望のデジタルコンテンツを前記利用者機器に配信するコンテンツ配信手段とを備える。前記チケットＩＤには、前記チケットの属性及び／又は前記チケットを持つ前記利用者に関する属性を含んだチケットＩＤ種別が含まれており、前記コンテンツ配信手段は、前記チケットＩＤ種別に基づくデジタルコンテンツを前記利用者機器に配信する。
【００２３】
本発明の第５の側面に従うサービス提供システムは、利用者が入場したことを検出する入場検出手段と、利用者が使用する利用者機器を用いたサービス提供システムであって、チケットＩＤを入場検出手段に入力し、所定の利用者機器ＩＤを有する利用者機器がコンテンツ要求を送信した場合には、前記利用者機器だけがコンテンツを受信することができることを特徴とする。
【発明の効果】
【００２４】
本発明によれば、有用なコンテンツの不正利用を防ぐことができる。
【発明を実施するための最良の形態】
【００２５】
以下、図面を参照して、本発明の実施の形態を説明する。
【００２６】
図１は、本発明の第１の実施形態に係るシステム全体の概要を示す。
【００２７】
本実施形態では、配信サービス提供システムが構築されている。配信サービス提供システムは、利用者が持つサービス利用機器４に対し、その利用者が所定施設（例えば建物又は土地）に入場した場合にのみ、所定の又は利用者所望のデジタルコンテンツ（以下、「コンテンツ」と略記）をサービス利用機器４に送信し、その利用者が所定施設から退場した場合には、所定の又は利用者所望のコンテンツをサービス利用機器４に送信しない。
【００２８】
配信サービス提供システムには、入退場管理機器１と、ＩＤ管理機器２と、配信サービス提供機器３とが備えられる。入退場管理機器１、ＩＤ管理機器２、及び配信サービス提供機器３の各々は、ネットワークＡ（例えばＬＡＮ又はインターネット）５を介して互いに有線又は無線で別の機器１、２、又は３と通信可能である。
【００２９】
入退場管理機器１は、利用者が所定施設内に入場或いはその施設外に退場することを管理するコンピュータマシンである。具体的には、例えば、入退場管理機器１は、利用者が所定施設に入場した時に、その入場利用者が所持するチケット７に付されたチケットＩＤを接触式又は非接触式で読取る等によりそのチケットＩＤを入力したり、その利用者が施設から退場する時に、そのチケットＩＤに関連付けられた課金情報から利用者に対し精算を促したりする。
【００３０】
ＩＤ管理機器２は、チケットＩＤや、サービス利用機器４のＩＤ（以下、「利用者機器ＩＤ」と言う）を、データベース（以下、これを「ＩＤ管理データベース」と言う）を用いて管理するコンピュータマシンである。例えば、ＩＤ管理機器２は、利用者が所定施設に入場して入退場管理機器１にチケットＩＤが読取られた場合に、入退場管理機器１からチケットＩＤを受信し、受信したチケットＩＤをＩＤ管理データベースに登録する。また、ＩＤ管理機器２は、配信サービス提供機器３から、チケットＩＤ及び利用者機器ＩＤと共にＩＤ照合要求を受け、それに応答して、その受けたチケットＩＤと、上記ＩＤ管理データベースに登録されたチケットＩＤとを比較照合する。また、ＩＤ管理機器２は、利用者が所定施設から退場した場合（又は精算によりサービス提供を停止した場合）、上記登録されたチケットＩＤをＩＤ管理テーブルから消去する（又は、チケットＩＤのステータスを「入場済み」から「退場済み」に更新する等して実質的な消去を行う）。
【００３１】
配信サービス提供機器３は、コンテンツの配信を行うコンピュータマシンである。配信サービス提供機器３は、１又は複数のコンテンツを記憶しており、所定施設に入場した利用者のサービス利用機器４に対してのみ、上記１又は複数のコンテンツのうちの所定の又は利用者所望のコンテンツを配信する。例えば、配信サービス提供機器３は、チケットＩＤ及び利用者機器ＩＤと共に、コンテンツ要求を、サービス利用機器４からネットワークＢ（例えばＬＡＮ又はインターネット）６を介して受けた場合、その受けたチケットＩＤ及び利用者機器ＩＤと共にＩＤ照合要求をＩＤ管理機器２に送信する。配信サービス提供機器３は、上記ＩＤ照合要求に応答して照合結果を受けて、その照合結果から、チケットＩＤ及び利用者機器ＩＤの双方が正当である旨が認識された場合、所定の又は利用者所望のコンテンツを、コンテンツ要求発行元のサービス利用機器４に配信する。一方、上記照合結果から、チケットＩＤ及び利用者機器ＩＤの少なくとも一方が正当でない旨が認識された場合、配信サービス提供機器３は、所定の又は利用者所望のコンテンツの代わりにエラーメッセージをサービス利用機器４に配信する。
【００３２】
サービス利用機器４は、ユーザが携帯可能な情報処理端末である。サービス利用機器４は、その機器４に固有の利用者機器ＩＤを記憶している。サービス利用機器４は、チケットに付されたチケットＩＤを接触式又は非接触式で読取る等によりそのチケットＩＤを入力して記憶する。そして、サービス利用機器４は、利用者の操作に従って、記憶したチケットＩＤと、予め記憶している上記利用者機器ＩＤと共に、コンテンツ要求を配信サービス提供機器３に送信する。サービス利用機器４は、上記コンテンツ要求に応答してコンテンツを受信した場合、そのコンテンツの種別に応じた方法でコンテンツを出力する（例えば、コンテンツが画像ファイル又はテキストファイルであれば、そのファイル内の画像又はテキストをディスプレイ画面に表示し、コンテンツがコンピュータプログラムである場合には、そのプログラムが実行されることにより動画等がディスプレイに表示される）。
【００３３】
以下、本実施形態のシステム全体について詳細に説明する。
【００３４】
図２は、本実施形態のシステム全体における各機器の構成を示す。
【００３５】
チケット７及びそれに付されるチケットＩＤは、所定施設に入場した利用者が所持するチケット７のチケットＩＤが配信サービス提供システムにおいて認識されるのであれば、どのようなタイミングでどのように発行されても良い。
【００３６】
すなわち、例えば、チケット７は、入場券又は乗車券など利用者が所定サービスを受ける権限を意味するものであり、紙等の物理的記録媒体であっても良いし、所定記憶装置に格納可能な電子的なものであっても良い。所定記憶装置は、サービス利用機器４や入退場管理機器１と通信可能な可搬型記憶媒体（例えばＩＣカード等のカード型メモリ）であっても良い。
【００３７】
また、例えば、チケット７は、所定施設に入場する前に予め利用者に発行されても良いし、利用者が所定施設に入場しようとする際に発行されても良い。
【００３８】
また、例えば、チケットＩＤは、チケット７が紙等の物理的記録媒体であれば、それに印刷された数字又は符号、バーコード或いは画像等の可視物体であっても良い。また、例えば、チケットＩＤは、チケット７が電子的なものであれば、それに付加された電子データであっても良い。
【００３９】
入退場管理機器１は、通信装置１１と、入退場記憶装置１３と、チケットＩＤ読取装置１４と、精算装置１５と、制御装置１２とを備える。
【００４０】
通信装置１１は、ネットワークＡ５を介して外部機器（例えばＩＤ管理機器２又は配信サービス提供機器３）と通信するための装置であり、例えば、無線アンテナを有する無線送受信機である。
【００４１】
入退場記憶装置１３は、揮発性メモリ（例えばＲＡＭ）、不揮発性メモリ（例えばＲＯＭ又はＥＥＰＲＯＭ）及びハードディスクの少なくとも１つを含んだ装置である。入退場記憶装置１３は、ＩＤ登録・抹消要求処理部１３１及び課金情報要求処理部１３２を記憶している。ＩＤ登録・抹消要求処理部１３１は、チケットＩＤと共にＩＤ登録要求をＩＤ管理機器２に送信することをコンピュータに実行させるためのコンピュータプログラムである。課金情報要求処理部１３２は、チケットＩＤと共に課金情報要求を配信サービス提供機器３に送信することをコンピュータに実行させるためのコンピュータプログラムである。
【００４２】
チケットＩＤ入力装置１４は、チケット７に付されたチケットＩＤを入力して入退場記憶装置１３に記憶させるための装置である。具体的には、例えば、チケットＩＤ入力装置１４は、人間によるキー操作に従ってチケットＩＤを入力する装置であっても良いし、紙に印刷されたバーコード（チケットＩＤ）を読取るバーコードリーダであっても良いし、電子的なチケットが格納された可搬型記録媒体からチケットＩＤを読み出す装置であっても良い。
【００４３】
精算装置１５は、所定施設から利用者が退場する際に、配信サービス提供機器３からの課金情報に基づいて、利用者が受信したコンテンツに関する課金金額を請求し、その金額を、現金、電子マネー、又はクレジットカード等のうちの少なくとも１以上の方法で精算を行う装置である。
【００４４】
制御装置１２は、入退場管理機器１の動作全体を制御する装置であり、例えば、ＣＰＵである。例えば、制御装置１２は、入退場記憶装置１３からＩＤ登録・抹消要求処理部１３１及び課金情報要求処理部１３２を読出すことにより、後述するＩＤ登録要求及びＩＤ抹消要求を通信装置１１を介してＩＤ管理機器２に送信したり、課金情報要求を配信サービス提供機器３に送信したりすることができる。
【００４５】
ＩＤ管理機器２は、通信装置２１と、ＩＤ管理記憶装置２３と、制御装置２２とを備える。
【００４６】
通信装置２１は、ネットワークＡ５を介して外部機器（例えば入退場管理機器１又は配信サービス提供機器３）と通信するための装置であり、例えば、無線アンテナを有する無線送受信機である。
【００４７】
ＩＤ管理記憶装置２３は、揮発性メモリ（例えばＲＡＭ）、不揮発性メモリ（例えばＲＯＭ又はＥＥＰＲＯＭ）及びハードディスクの少なくとも１つを含んだ装置である。ＩＤ管理記憶装置２３には、データベース処理部２３２、サービス停止要求処理部２３３、及びＩＤ管理データベース２３１が格納されている。
【００４８】
データベース処理部２３２は、ＩＤ管理データベース２３１に対する種々の処理をコンピュータに実行させるためのコンピュータプログラムである。
【００４９】
サービス停止要求処理部２３３は、後述するサービス停止要求を配信サービス提供機器３に送信することをコンピュータに実行させるためのコンピュータプログラムである。
【００５０】
ＩＤ管理データベース２３１には、図３に示すように、複数のチケットＩＤにそれぞれ対応した複数の利用者機器ＩＤ、入場日時及び退場日時が登録される。
【００５１】
図３に示すように、チケットＩＤ登録欄２３１１に含まれる各セルには、例えば、抹消済のチケットＩＤ、又は、抹消されていないチケットＩＤが登録されている。ここで、「抹消済」とは、そのチケットＩＤを有する利用者が既に退場したことを表す。利用者が退場した場合、その利用者のチケットＩＤは、完全に抹消されても良いし、図示のように、完全には抹消されずに抹消済みのステータスが付加された状態で残っていても良い。
【００５２】
機器ＩＤ登録欄２３１２に含まれる各セルには、例えば、左隣のセルに登録されたチケットＩＤに対応した抹消済の利用者機器ＩＤ、抹消されていない利用者機器ＩＤ、又は、未登録セルがある。未登録セルは、左隣のセルにはチケットＩＤが登録されているがそれに対応する利用者機器ＩＤは登録されていないセルである。この未登録セルは、ＩＤ管理機器２が入退場管理機器１からチケットＩＤを受けた後、そのチケットＩＤを記憶したサービス利用機器４から未だ一度もコンテンツ要求が出力されてない場合に生じる。そのサービス利用機器４から、チケットＩＤ及び利用者機器ＩＤと共にコンテンツ要求が出力されたら、後に詳述する流れによって、その未登録セルに利用者機器ＩＤが登録される。
【００５３】
入場日時登録欄２３１３に含まれる各々のセルには、チケットＩＤ毎の入場日時が登録される。
【００５４】
退場日時登録欄２３１４に含まれる各々のセルには、チケットＩＤ毎の退場日時が登録されるが、入場は検出されたが退場が検出されていないチケットＩＤに対応したセルには、入場中を示すステータスデータが登録される。
【００５５】
再び図２を参照する。
【００５６】
ＩＤ管理機器２の制御装置２２は、ＩＤ管理機器２の動作全体を制御する装置であり、例えば、ＣＰＵである。例えば、制御装置２２は、ＩＤ管理記憶装置２３からデータベース処理部２３２及びサービス停止要求処理部２３３を読出すことにより、ＩＤ管理データベース２３１に対する登録又は抹消処理を行ったり、後述するサービス停止要求を配信サービス提供機器３に送信したりすることができる。
【００５７】
配信サービス提供機器３は、通信装置３１と、配信サービス記憶装置３３と、制御装置３２とを備える。
【００５８】
通信装置３１は、ネットワークＡ５を介して外部機器（入退場管理機器１又はＩＤ管理機器２）と通信するための装置であり、例えば、無線アンテナを有する無線送受信機である。
【００５９】
配信サービス記憶装置３３は、揮発性メモリ（例えばＲＡＭ）、不揮発性メモリ（例えばＲＯＭ又はＥＥＰＲＯＭ）及びハードディスクの少なくとも１つを含んだ装置である。配信サービス記憶装置３３には、コンテンツ群３３１、コンテンツ配信処理部３３２、配信記録データベース３３３、データベース処理部３３４及びコンテンツ価格データベース３３５が格納されている。
【００６０】
コンテンツ群３３１は、配信サービス提供機器３が配信可能な１又は複数のコンテンツを含んでいる。各コンテンツは、それのコンテンツ識別情報を有しており、そのコンテンツ識別情報からそのコンテンツを識別することができるようになっている。
【００６１】
コンテンツ配信処理部３３２は、コンテンツを配信することをコンピュータに実行させるためのコンピュータプログラムである。
【００６２】
配信記録データベース３３４には、図４に示すように、複数のチケットＩＤにそれぞれ対応した複数の利用者機器ＩＤ、配信日時、コンテンツ属性情報及び課金金額が登録される。
【００６３】
図４に示すように、チケットＩＤ登録欄３３３１に含まれる各セルには、チケットＩＤが登録される。
【００６４】
機器ＩＤ登録欄３３３２に含まれる各セルには、左隣のセルに登録されたチケットＩＤに対応した利用者機器ＩＤが登録される。
【００６５】
配信日時登録欄３３３３に含まれる各セルには、左隣のセルに利用者機器ＩＤ及びチケットＩＤを記憶するサービス利用機器４にコンテンツが配信された日時が登録される。各セルに記録される配信日時は、コンテンツが配信される都度に最新のものに書き換えられても良いし、履歴として追加されても良い。
【００６６】
コンテンツ属性情報登録欄３３３４に含まれる各々のセルには、左隣のセルに対応する配信日時に配信されたコンテンツの属性に関するコンテンツ属性情報が登録される。コンテンツ属性情報としては、例えば、映画、着信メロディ等のコンテンツ種別と、コンテンツを識別するためのコンテンツ識別情報（例えば「no.80」等）とを含んだ情報である。各セルに記録されるコンテンツ属性情報は、コンテンツが配信される都度にその配信されたコンテンツのコンテンツ属性情報が追記される。
【００６７】
課金金額登録欄３３３５に含まれる各々のセルには、それの左側のセルに対応した配信日時に配信されたコンテンツに課された金額が登録される。各セルに記録される課金金額は、コンテンツが配信される都度にその配信されたコンテンツの課金金額が追記される。
【００６８】
再び図２を参照する。
【００６９】
配信サービス提供機器３のデータベース処理部３３４は、配信記録データベース３３３に対する種々の処理をコンピュータに実行させるためのコンピュータプログラムである。
【００７０】
コンテンツ価格データベース３３５には、コンテンツ群３３１に含まれる１又は複数のコンテンツのコンテンツ識別情報（又はコンテンツ種別）にそれぞれ対応した金額が登録されている。
【００７１】
制御装置３２は、配信サービス提供機器３の動作全体を制御する装置であり、例えば、ＣＰＵである。例えば、制御装置３２は、配信サービス記憶装置３３からコンテンツ配信処理部３３２及びデータベース処理部２３２を読出すことにより、サービス利用機器４にコンテンツを配信する処理を行ったり、配信記録データベース３３３に対する登録処理を行ったりすることができる。
【００７２】
サービス利用機器４は、通信装置４１と、サービス利用記憶装置４３と、チケットＩＤ入力装置４４と、入出力装置４５と、制御装置４２とを備えている。
【００７３】
通信装置４１は、ネットワークＢ６を介して外部機器（例えば配信サービス提供機器３）と通信するための装置であり、例えば、無線アンテナを有する無線送受信機である。
【００７４】
サービス記憶装置４３は、揮発性メモリ（例えばＲＡＭ）、不揮発性メモリ（例えばＲＯＭ又はＥＥＰＲＯＭ）及びハードディスクの少なくとも１つを含んだ装置である。サービス記憶装置４３には、利用者機器ＩＤ４３１と、コンテンツ要求処理部４３２と格納されている。利用者機器ＩＤ４３１は、サービス利用機器４を一意に識別するための情報であり、例えば、製造番号、電子メールアドレス及び携帯電話番号のうちの少なくとも１つを含んだ情報である。コンテンツ要求処理部４３２は、コンテンツ要求を配信サービス提供機器３に送信することをコンピュータに実行させるためのコンピュータプログラムである。
【００７５】
チケットＩＤ入力装置４４は、チケット７に付されたチケットＩＤを入力して入退場記憶装置１３に記憶させるための装置である。具体的には、例えば、チケットＩＤ入力装置１４は、人間によるキー操作に従ってチケットＩＤを入力する装置であっても良いし、紙に印刷されたバーコード（チケットＩＤ）を読取るバーコードリーダであっても良いし、電子的なチケットが格納された可搬型記録媒体からチケットＩＤを読み出す装置であっても良い。
【００７６】
入出力装置４５は、文字又は数字等のコードを入力するための複数のキー等を含んだ入力装置と、画像や文字等を表示するためのディスプレイ画面や、音声を出力するためのスピーカー等を含んだ出力装置とを含んだ装置である。
【００７７】
図５は、本実施形態で利用者が所定施設に入場してから退場するまでに行われる処理流れの概要を示す。以下、この図を参照して本実施形態の流れを説明する。
【００７８】
所定施設には入退場ゲート（図示せず）が設けられており、その入退場ゲートの近傍に、１又は複数の入退場管理機器１に設置されている。
【００７９】
利用者は、紙等の物理的なチケット、又は、可搬型記憶媒体（例えばカード型不揮発性メモリ）に記憶された電子的なチケット（以下、単に「チケット」と言う）７を所持する。チケット７には、チケットＩＤが付されている。
【００８０】
利用者が所定施設に入場する際に、利用者（又は施設の従業員等）は、チケット７を入退場管理機器１の所定場所に差し込む又はかざす等して、チケット７のチケットＩＤを入退場管理機器１に読取らせる。入退場管理機器１のチケットＩＤ入力装置１４は、チケット７からチケットＩＤを読取って（ステップＳ１）、読取ったチケットＩＤを一時的に入退場記憶装置１３に記憶させる。制御装置１２は、記憶されたチケットＩＤを読み出し、そのチケットＩＤと、ＩＤ登録要求（そのチケットＩＤを登録することの要求）とを通信装置１１を介してＩＤ管理機器２に送信する（Ｓ２）。
【００８１】
ＩＤ管理機器２の制御装置１２は、入退場管理機器１から通信装置２１を介してＩＤ登録要求とチケットＩＤを受信した場合、そのＩＤ登録要求に応答して、そのチケットＩＤをＩＤ管理データベース２３１に登録する。
【００８２】
チケットＩＤを入退場管理機器１に読取らせた利用者が所定施設に入場した後、サービス利用機器４のチケットＩＤ入力装置４４は、利用者の操作により、利用者が所持するチケット７のチケットＩＤを所定方法で入力して（例えば、キー操作により又は読取らせることにより）、サービス利用記憶装置４３に記憶する（Ｓ３）。
【００８３】
その後、サービス利用機器４の制御装置４２は、利用者の操作により、Ｓ３で記憶したチケットＩＤと、予め記憶している利用者機器ＩＤとをサービス利用記憶装置４３から読み出し、そのチケットＩＤ及び利用者機器ＩＤとコンテンツ要求とを通信装置４１を介して配信サービス提供機器３に送信する（Ｓ４）。ここで送信されるコンテンツ要求は、例えば、配信サービス提供機器３から提供された所定のＧＵＩ（Graphical User Interface）を用いてコンテンツ群３３１の中から選択された１以上のコンテンツにそれぞれ対応した１以上のコンテンツ識別情報を含み、コンテンツ要求は、それら１以上のコンテンツ識別情報にそれぞれ対応したコンテンツの配信の要求を意味するものである。
【００８４】
配信サービス提供機器３の制御装置３２は、チケットＩＤ及び利用者機器ＩＤとコンテンツ要求とをサービス利用機器４から通信装置３１を介して受信した場合、そのチケットＩＤ及び利用者機器ＩＤと、ＩＤ照合要求（そのチケットＩＤ及び利用者機器ＩＤが正当か否かの照合の要求）とを、通信装置３１を介してＩＤ管理機器２に送信する（Ｓ５）。また、配信サービス提供機器３の制御装置３２は、受信したチケットＩＤ及び利用者機器ＩＤのセットを配信記録データベース３３３に登録する。
【００８５】
ＩＤ管理機器２の制御装置２２は、チケットＩＤ及び利用者機器ＩＤとＩＤ照合要求とを配信サービス提供機器３から通信装置２１を介して受信した場合、その受信したチケットＩＤ及び利用者機器ＩＤと、ＩＤ管理データベース２３１に記録されている情報群との比較照合を行う。
【００８６】
Ｓ４において送信されたコンテンツ要求が初めて送信されたものであれば、前述したように、ＩＤ管理データベース２３１には、チケットＩＤが登録されていても、そのチケットＩＤに対応した利用者機器ＩＤは登録されていない。そこで、上記比較照合の結果、ＩＤ管理機器２の制御装置２２は、受信したチケットＩＤと一致するチケットＩＤ（以下、「一致チケットＩＤ」と言う）がＩＤ管理データベース２３１に登録されており、且つ、その一致チケットＩＤに対応する利用者機器ＩＤがＩＤ管理データベース２３１に登録されていない場合は、受信した利用者機器ＩＤをその一致チケットＩＤに対応付けてＩＤ管理データベース２３１に登録すると共に、一致する旨を表す照合結果（以下、「照合結果ＯＫ」と言う）を配信サービス提供機器３に送信する（Ｓ６）。
【００８７】
一方、上記比較照合の結果、一致チケットＩＤがＩＤ管理データベース２３１に存在しない、又は、一致チケットＩＤは存在するがそれに対応する利用者機器ＩＤが上記受信した利用者機器ＩＤと一致しない場合、ＩＤ管理機器２の制御装置２２は、一致しない旨を表す照合結果（以下、「照合結果ＮＧ」と言う）を配信サービス提供機器３に送信する（Ｓ６）。
【００８８】
配信サービス提供機器３の制御装置３２は、ＩＤ管理機器２から照合結果ＯＫを受信した場合、記憶しているコンテンツ群３３１のうちの、Ｓ４で受けたコンテンツ要求中の１以上のコンテンツ識別情報からそれぞれ識別される１以上のコンテンツを、Ｓ４で受けたコンテンツ要求の送信元であるサービス利用機器（以下、「ターゲット利用機器」と言う）４に送信する（Ｓ７）。そして、制御装置３２は、配信した１以上のコンテンツにそれぞれ対応した１以上のコンテンツ識別情報に基づいて、それら１以上のコンテンツにそれぞれ対応した１以上の課金金額をコンテンツ価格データベース３３５から取得し、その１以上の課金金額を、ターゲット利用機器４のチケットＩＤ及び利用者機器ＩＤに対応付けて配信記録データベース３３３に登録する。また、制御装置３２は、配信したコンテンツのコンテンツ属性情報（例えばコンテンツ種別及びコンテンツ識別情報）も、ターゲット利用機器４のチケットＩＤ及び利用者機器ＩＤに対応付けて配信記録データベース３３３に登録する。
【００８９】
一方、制御装置３２は、ＩＤ管理機器２から照合結果ＮＧを受信した場合、ターゲット利用機器４に所定のエラーメッセージを送信する（又は何の情報も送信しない）。その所定エラーメッセージを受信したサービス利用機器４の制御装置４２は、自機４のディスプレイ画面に、図６に例示するような所定エラーメッセージを表示する。図６は、チケット７が、紙等の物理的記録媒体であって、チケットＩＤが、その物理的記録媒体に印刷されたバーコードである場合の例である。サービス利用機器４は、チケットＩＤ入力装置４４としてバーコードリーダを備えていて、利用者の操作により、チケット７のバーコード（チケットＩＤ）をバーコードリーダを介して読取り、図示の送信ボタン１０が押下された場合に、Ｓ４を実行する（すなわち、読取ったチケットＩＤと、予め記憶している利用者機器ＩＤと共にコンテンツ要求を送信する）。
【００９０】
利用者が所定施設から退場する際に、利用者（又は施設の従業員等）は、チケット７を入退場管理機器１の所定場所に差し込む又はかざす等して、チケット７のチケットＩＤを入退場管理機器１に読取らせる。入退場管理機器１のチケットＩＤ入力装置１４は、チケット７からチケットＩＤを読取って（Ｓ８）、入退場記憶措置１３に一時記憶する。制御装置１２は、記憶されたチケットＩＤを読み出し、そのチケットＩＤと課金情報要求とを配信サービス提供機器３に送信する（Ｓ９）。
【００９１】
配信サービス提供機器３の制御装置３２は、チケットＩＤと課金情報要求とを受信した場合、そのチケットＩＤに対応した利用者機器ＩＤ、配信日時、コンテンツ属性情報及び課金金額を配信記録データベース３３３から取得し、取得した利用者機器ＩＤ、配信日時、コンテンツ属性情報及び課金金額を含む課金情報を入退場管理機器１に送信する（Ｓ１０）。
【００９２】
入退場管理機器１の制御装置１２は、受信した課金情報に基づいて、例えば図７に示すように、利用者に対して、課金情報に含まれる課金金額の合計を支払う旨のメッセージを画面表示（又は音声出力）する。課金金額の合計の支払は、入退場管理機器１の精算装置１５が、現金、電子マネー、又はクレジットカード決済等の種々の方法で受け付ける。
【００９３】
課金金額の合計の支払が行なわれたことが入退場管理機器１の制御装置１２において検出された場合、制御装置１２は、上記読み出したチケットＩＤと、上記受信した課金情報中の利用者機器ＩＤと、ＩＤ抹消要求とをＩＤ管理機器２に送信する（Ｓ１１）。
【００９４】
ＩＤ管理機器２の制御装置２２は、ＩＤ抹消要求を受信した場合、それと共に受信したチケットＩＤ及び利用者機器ＩＤと一致する一致チケットＩＤ及び一致利用者機器ＩＤをＩＤ管理データベース２３１から検索し、検索された一致チケットＩＤ及び一致利用者機器ＩＤのステータスを「抹消済み」に更新し（或いは完全に削除し）、且つ、それに対応する退場日時を記録する。その後、制御装置２２は、抹消されたチケットＩＤ及び利用者機器ＩＤと共にサービス停止要求を配信サービス提供機器３に送信する。
【００９５】
配信サービス提供機器３の制御装置３２は、サービス停止要求を受信した場合、それと共に受信したチケットＩＤ及び利用者機器ＩＤと一致する一致チケットＩＤ及び一致利用者機器ＩＤを配信記録データベース３３３から検索し、検索された一致チケットＩＤ及び一致利用者機器ＩＤのステータスを「サービス停止済み」に更新する（或いは完全に削除する）。これにより、配信サービス提供機器３は、所定施設から退場した利用者のサービス利用機器４から、チケットＩＤ及び利用者機器ＩＤと共にコンテンツ要求を受けた場合、そのチケットＩＤ及び利用者機器ＩＤは、配信記録データベース３３３においてサービス停止済みになっているので（又は削除されて登録されていないため）、そのサービス利用機器４に対してコンテンツの配信を行うことはない。
【００９６】
以上が第１実施形態についての説明である。
【００９７】
この第１実施形態によれば、利用者機器から受信したチケットＩＤと利用者機器ＩＤの双方が正当な否かの判断が行われる。これにより、所定施設外に不正に流出したチケットＩＤ（以下、不正チケットＩＤ）を利用してコンテンツを受信しようとしても、不正チケットＩＤを利用する利用者機器の利用者機器ＩＤについては正当性が得られる可能性は少ない。そのため、所定施設外から不正にコンテンツ配信サービスが利用されてしまうことを防止することができる。
【００９８】
なお、この第１実施形態では、入退場管理機器１は、利用者が所定施設に入場する時と退場する時の両方の時にチケットＩＤの入力（例えば読取り）を行うが、読取ったチケットＩＤが、入場時のものか退場時のものであるかは、所定の方法により判別することができる。例えば、入退場管理機器１は、入場のときにチケットＩＤを読取りＩＤ登録要求を発行する入場管理機器と、退場のときにチケットＩＤを読取りＩＤ抹消要求を発行する退場管理機器とに別れていても良い。また、例えば、入退場管理機器１には、入場時と退場時のそれぞれの利用者の進行方向に応じた場所に、チケットＩＤの入力を受けるインターフェースが備えられて、どのインタフェースからチケットＩＤが入力されたかに応じて、入場時か退場時かが判別されても良い。
【００９９】
また、例えば、チケットＩＤが付いたチケット７が購入されたときに、そのチケット７を発行した所定の情報処理端末から、チケットＩＤと共にＩＤ登録要求がＩＤ管理機器２に送信されてＩＤ管理データベース２３１に登録されても良い。換言すれば、利用者が入場する前に、予め、発行されたチケット７のチケットＩＤがＩＤ管理データベース２３１に登録されても良い。その場合、ＩＤ管理機器２は、不正にチケットＩＤが使用されてコンテンツ配信サービスが利用されてしまうことが無いように、入場時にチケットＩＤが入力されてＩＤ管理機器２に到達するまでは、「未入場」等のステータスを所定のチケットＩＤに対してＩＤ管理データベース２３１に追記しておく。それにより、ＩＤ管理機器２は、そのステータスを持つチケットＩＤのＩＤ照合要求を受けた場合は、照合結果ＮＧを配信サービス提供機器３に送信する。
【０１００】
また、例えば、ＩＤ管理機器２と配信サービス提供機器３は、互いに分離した装置となっているが、それらの機器２及び３の機能は一つの機器で実現されても良い。
【０１０１】
また、例えば、ＩＤ管理データベース２３１に利用者機器ＩＤが登録される場合として、初めてコンテンツ要求が送信された場合に限らず、別の場合に登録されても良い。例えば、サービス利用機器４が、利用者の操作に従って、利用者任意のタイミングで、チケットＩＤ及び利用者機器ＩＤのセットをＩＤ管理機器２に送信しても良い。
【０１０２】
上述した第１実施形態によれば、所定施設に入場した時に、チケット７に付与されたチケットＩＤがＩＤ管理機器２のＩＤ管理データベース２に登録され、以後、利用者が退場するまでは、サービス利用機器４は、チケット７から読取り記憶したチケットＩＤと同じチケットＩＤがＩＤ管理データベース２に登録されているので、その記憶したチケットＩＤを用いて何度でも利用者所望の又は所定のコンテンツを受信することができる。そして、利用者が退場した場合は、チケット７に付与されたチケットＩＤがＩＤ管理データベース２から抹消されるので、サービス利用機器４は、チケット７から読取り記憶したチケットＩＤと共にコンテンツを要求しても、コンテンツを受信することができない。従って、確実に、所定施設内に存在する利用者に対してのみコンテンツの配信サービスを提供することができる。
【０１０３】
また、上述した第１実施形態によれば、チケットＩＤ及び利用者機器ＩＤの双方の正当性が判断される。従って、一つのチケットＩＤに対し、一つの利用者機器ＩＤしか対応しなくなる為、一つのチケットＩＤを複数の利用者がそれぞれ複数のサービス利用機器４で不正利用することを防ぐことが可能である。
【０１０４】
また、上述した第１実施形態によれば、利用者が初めてサービスを利用する場合（すなわち、サービス利用機器４が初めてコンテンツ要求を送信する場合）、ＩＤ管理機器２には、まだ利用者機器ＩＤが登録されていない為、チケットＩＤだけの照合となるが、その初めてのサービス利用時における照合時に、利用者機器ＩＤがＩＤ管理機器２に登録される。そして、２回目以降のサービス利用における照合時において、サービス利用機器４からの二つのＩＤ（すなわちチケットＩＤ及び利用者機器ＩＤのセット）の照合が行われる。これにより、チケットＩＤ及び利用者機器ＩＤのセットと共にコンテンツ要求を初めて送信したサービス利用機器４が、以後、利用者が退場するまでコンテンツを受信することができる。
【０１０５】
次に、本発明の第２の実施形態に係るシステムについて説明する。なお、第１の実施形態と重複する部分については説明を省略又は簡略する。
【０１０６】
図８は、本発明の第２の実施形態の要部を説明するための図である。
【０１０７】
この第２の実施形態では、利用者機器ＩＤの使用を避け、且つ、所定施設外からの不正アクセスを防ぐ為、所定施設内に複数のアクセスポイント端末１００が分布する。アクセスポイント端末１００は、サービス利用機器４と配信サービス提供機器３との間の通信を仲介する通信中継装置であり、通信装置１１０と、アクセスポイント記憶装置１３０と、利用機器インターフェース１４０と、制御装置１２０とを備える。
【０１０８】
通信装置１１０は、ネットワークＡ５を介して外部機器（例えばＩＤ管理機器２又は配信サービス提供機器３）と通信するための装置であり、例えば、無線アンテナを有する無線送受信機である。
【０１０９】
アクセスポイント記憶装置１３０は、揮発性メモリ（例えばＲＡＭ）、不揮発性メモリ（例えばＲＯＭ又はＥＥＰＲＯＭ）及びハードディスクの少なくとも１つを含んだ装置である。アクセスポイント記憶装置１３０は、このアクセスポイント端末１００の識別情報であるアクセスポイントＩＤを記憶している。
【０１１０】
利用機器インターフェース１４０は、サービス利用機器４と通信するためのインターフェース装置である。利用機器インターフェース１４０は、有線又は無線（例えば、赤外線、又は、ブルートゥース（登録商標）等の近距離型無線通信システム）を介して、サービス利用機器４と通信する。
【０１１１】
制御装置１２０は、アクセスポイント端末１００の動作全体を制御する装置であり、例えば、ＣＰＵである。例えば、制御装置１２０は、サービス利用機器４との通信、及び、配信サービス提供機器３との通信を制御する。
【０１１２】
この第２の実施形態での配信サービス提供機器３において、１又は複数のコンテンツ群３３１の各々に含まれる各コンテンツには、サブチケットＩＤが付加されている。各コンテンツ群３３１は、どのサブチケットＩＤのコンテンツを配信した後は次にどのサブチケットＩＤのコンテンツを配信するのかが認識可能に記憶されている（例えば、配信サービス記憶装置３３において、各コンテンツ群３３１毎に、サブチケットＩＤの順番が登録されている）。
【０１１３】
また、配信サービス記憶装置３３には、図示しないが、所定施設内に存在する全てのアクセスポイント端末１００にそれぞれ対応した全てのアクセスポイントＩＤが記憶されている。
【０１１４】
以下、この図８を参照して、コンテンツ配信サービスの流れについて説明する。
【０１１５】
図示しないが、所定施設内に利用者が入場した後、サービス利用機器４は、まず、利用者任意の又は所定のアクセスポイント端末１００に、読取って記憶したチケットＩＤとコンテンツ要求を送信する。すると、アクセスポイント端末１００が、受信したチケットＩＤ及びコンテンツ要求と、記憶しているアクセスポイントＩＤとを配信サービス提供機器３に送信する。配信サービス提供機器３は、そのチケットＩＤの照合要求をＩＤ管理機器２に送信し、それに応答して、照合結果ＯＫを受信したならば、サブチケットＩＤが付いた所定コンテンツと、予め所定コンテンツに付いている又は任意に取得したアクセスポイントＩＤとを、上記コンテンツ要求送信元のアクセスポイント端末１００に送信する。アクセスポイント端末１００は、受信した所定コンテンツ、サブチケットＩＤ及びアクセスポイントＩＤを、サービス利用機器４に送信する。サービス利用機器４は、受信した所定コンテンツ、サブチケットＩＤ及びアクセスポイントＩＤを、サービス利用記憶装置４３に記憶する。
【０１１６】
以後、サービス利用機器４は、受信したアクセスポイントＩＤに対応したアクセスポイント端末（以下、これを「ターゲットアクセスポイント端末」と言う）１００の傍に利用者が到達し所定操作を受けることで、例えば以下のような通信を行う。
【０１１７】
図示のように、サービス利用機器４の制御装置４２は、コンテンツ要求（例えば、コンテンツがクイズコンテンツの場合には、そのクイズの解答）、サブチケットＩＤ及びアクセスポイントＩＤを、通信装置４１を介してターゲットアクセスポイント端末１００に送信する。
【０１１８】
アクセスポイント端末１００の制御装置１２０は、サービス利用機器４から利用機器インターフェース１４０を介して受信したアクセスポイントＩＤが、アクセスポイント記憶装置１３０に記憶されているアクセスポイントＩＤに一致するか否かの判断を行う。その判断の結果、一致が得られなければ、制御装置１２０は、所定のエラーメッセージ（例えば、このアクセスポイント端末１００は利用できない旨のメッセージ）をサービス利用機器４に送信し、一方、上記判断の結果、一致が得られれば、受信したサブチケットＩＤ及びコンテンツ要求と、記憶しているアクセスポイントＩＤとを通信装置１１０を介して配信サービス提供機器３に送信する。
【０１１９】
配信サービス提供機器３の制御装置３２は、受信したコンテンツ要求に応答し、受信したサブチケットＩＤに基づいて、所定のサブチケットＩＤ（例えば、受信したサブチケットＩＤの次の順番のサブチケットＩＤを有するコンテンツをコンテンツ群３３１から取得し、且つ、受信したアクセスポイントＩＤに基づいて、所定のアクセスポイントＩＤ（例えば、受信したアクセスポイントＩＤの次の順番のアクセスポイントＩＤ）を配信サービス記憶装置３３から取得する。そして、制御装置３２は、上記所定サブチケットＩＤが付いたコンテンツ及び上記取得したアクセスポイントＩＤを、通信装置３１を介してアクセスポイント端末１００に送信する。
【０１２０】
アクセスポイント端末１００の制御装置１２は、受信した所定サブチケットＩＤ付きのコンテンツ及びアクセスポイントＩＤを、利用機器インターフェース１４０を介してサービス利用機器４に送信する。
【０１２１】
この第２の実施形態によれば、所定施設内に設けられたアクセスポイント端末１００を利用しなければ、サービス利用機器４はコンテンツを受信することができない。これにより、利用者機器ＩＤを利用しなくても、所定施設外から不正にコンテンツ配信サービスが利用されてしまうことを防ぐことができる。
【０１２２】
また、この第２の実施形態によれば、別のサービス提供が可能となる。例えば、遊園地において、園内に複数の場所にアクセスポイント端末１００を設置し、園内全域を使ってアドベンチャーゲームを行うことができる。具体的には、例えば、利用者はサービス利用機器４に送られたクイズを解き、その答えを、アクセスポイントＩＤから識別されるアクセスポイント端末１００に送信し、正解した場合、次のクイズと別のアクセスポイント端末の指定を受ける。これを繰り返していくと、最終的にゴールにたどり着くことができる、というようなサービスを利用者に提供することができる。
【０１２３】
以上が、第２実施形態についての説明である。
【０１２４】
なお、この第２実施形態において、コンテンツ配信側（例えば、配信サービス提供機器３、アクセスポイント端末１００及びＩＤ管理機器２のいずれか）は、アクセスポイントＩＤと一緒に、そのアクセスポイントＩＤを有するアクセスポイント端末１００の位置を画像、文字表示或いは音声で利用者に報知しても良い。
【０１２５】
また、例えば、アクセスポイント端末１００とサービス配信機器３は一体になっていても良い（すなわち、アクセスポイント端末１００がサービス配信機器３の機能を備えていても良い）。
【０１２６】
また、例えば、配信サービス提供機器３の記憶装置３３には、複数のアクセスポイント端末１００にそれぞれ対応した複数のアクセスポイントＩＤが記憶されていて、配信サービス提供機器３は、アクセスポイント端末１００からアクセスポイントＩＤを受信した場合には、その受信したアクセスポイントＩＤと一致するアクセスポイントＩＤが記憶装置３３に登録されているか否かを判断し、肯定的な結果が得られた場合に、コンテンツをそのアクセスポイント端末１００に送信するようにしても良い。
【０１２７】
また、例えば、アクセスポイント端末１００と配信サービス提供機器３（及びＩＤ管理機器２）との間は専用回線により通信可能に接続されても良い。
【０１２８】
次に、本発明の第３の実施形態について説明する。
【０１２９】
この第３の実施形態では、第１実施形態及び第２実施形態の少なくとも一方において、チケットＩＤ及び利用者機器ＩＤの少なくとも一方がグループ化される。どのグループにどのようなチケットＩＤ（及び／又は利用者機器ＩＤ）が存在するかを表すＩＤグループ情報は、コンテンツ配信側（例えば、ＩＤ管理機器２、配信サービス提供機器３及びアクセスポイント端末１００のうちの少なくとも１つ）の所定記憶装置に格納される。
【０１３０】
配信サービス提供機器３は、その記憶装置内のＩＤグループ情報に基づいて、種々のサービスを提供する。
【０１３１】
例えば、配信サービス提供機器３は、或るチケットＩＤ及び／又は利用者機器ＩＤを記憶するサービス利用機器４に或るコンテンツを配信する場合、そのチケットＩＤ及び／又は利用者機器ＩＤと同一のグループに属する１以上の同属チケットＩＤ及び／又は同属利用者機器ＩＤを上記ＩＤグループ情報から識別する。そして、配信サービス提供機器３は、識別された１以上の同属チケットＩＤ及び／又は同属利用者機器ＩＤをそれぞれ記憶する１以上の同属サービス利用機器４に、上記或るコンテンツと同一のコンテンツ及び／又はそのコンテンツに関連する別のコンテンツを配信サービス記憶装置３３から取得して送信する。
【０１３２】
また、例えば、コンテンツ配信側（例えば配信サービス提供機器３）は、所定施設内に存在する１以上のサービス利用機器４の各々の位置を検出し、検出された位置を所定記憶装置に登録する。そして、コンテンツ配信側（例えば配信サービス提供機器３）は、所定のタイミングで（例えば、定期的に、又は、或るサービス利用機器４から所定要求を受けた場合に）、所定のサービス利用機器４に（例えば、所定要求の送信元機器４に）、それと同一のグループに属する１以上の別のサービス利用機器４の検出位置（例えば、検出位置が強調表示された地図画像）を送信する。これにより、所定のサービス利用機器４を持つ利用者は、同一グループに属する他のメンバがどこにいるか等を把握することができる。その際、例えば、後述のようにチケットＩＤにチケットＩＤ種別が含まれていれば、チケットＩＤ種別に応じた表示態様別（例えば色別）に検出位置を表示しても良い（例えば、チケットＩＤ種別から大人であることが判別されたら第１の色で検出位置を表示し、子供であることが判別されたら第２の色で検出位置を表示しても良い）。
【０１３３】
なお、ＩＤグループ情報の登録方法、換言すれば、チケットＩＤ及び／又は利用者機器ＩＤのグルーピングのやり方には幾つかの方法例が考えられる。
【０１３４】
（１）第１のグルーピング方法。
【０１３５】
第２実施形態で説明したアクセスポイント端末１００が、直接又はサービス利用機器４を介して、同一のグループに属する１以上のチケットＩＤ及び／又は利用者機器ＩＤの入力を受け付ける。アクセスポイント端末１００は、入力された１以上のチケットＩＤ及び／又は利用者機器ＩＤをＩＤ管理機器２に送信する。ＩＤ管理機器２は、受信した１以上のチケットＩＤ及び／又は利用者機器ＩＤに対して任意のグループＩＤを割振り、そのグループＩＤに対応付けて１以上のチケットＩＤ及び／又は利用者機器ＩＤをＩＤ管理データベース２３１に登録する。
【０１３６】
（２）第２のグルーピング方法。
【０１３７】
これについて、図９を参照して説明する。
【０１３８】
所定施設の入場ゲート近傍又は所定施設外に設置されたチケット購入受け付け端末１０００が上記グルーピングを行う。チケット購入受け付け端末１０００は、通信装置１１００、制御装置１２００、購入記憶装置１３００及び入力装置１４００を備える。
【０１３９】
例えば、入力装置１４００が、チケットの購入枚数の入力を受けて、購入枚数を購入記憶装置１３００に登録する。
【０１４０】
制御装置１２００は、登録された購入枚数と同数のチケットを発行すると共に、そのチケット毎にチケットＩＤを割振り、割振った１以上のチケットＩＤを、通信装置１１００を介してＩＤ管理機器２に送信する。
【０１４１】
ＩＤ管理機器２は、受信した１以上のチケットＩＤに対して任意のグループＩＤを割振り、そのグループＩＤに対応付けて１以上のチケットＩＤをＩＤ管理データベース２３１に登録する。
【０１４２】
（３）第３のグルーピング方法。
【０１４３】
サービス受け側装置（例えば、サービス利用機器４、又は、利用者の住まいに設置されているパーソナルコンピュータ等）が、利用者の操作に従って、利用者が所定施設に入場する前に（例えば所定施設に入場する前日に）、コンテンツ配信側装置（例えば、ＩＤ管理機器２又は配信サービス提供機器３）にアクセスし、そのコンテンツ配信側装置に、１以上のチケットＩＤ及び／又は利用者機器ＩＤを入力する。その場合、ＩＤ管理機器２は、受信した１以上のチケットＩＤ及び／又は利用者機器ＩＤに対して任意のグループＩＤを割振り、そのグループＩＤに対応付けて１以上のチケットＩＤ及び／又は利用者機器ＩＤをＩＤ管理データベース２３１に登録する。これにより、利用者が実際に所定施設に入場して、入退場管理機器１からＩＤ管理機器２にチケットＩＤが送信されれば、所定施設内に存在する１以上のサービス利用機器毎のグループができる。
【０１４４】
以上が、第３の実施形態についての説明である。
【０１４５】
なお、この第３の実施形態では、例えば、所定施設内のサービス利用機器４又はアクセスポイント端末１００が、新たな１以上のチケットＩＤ及び／又は利用者機器ＩＤの入力を受けて、ＩＤ管理テーブル２３１に登録されるグループの構成が変更されても良い。
【０１４６】
また、例えば、１以上のチケットＩＤ及び／又は利用者機器ＩＤのグループ構成（例えばグループＩＤ）は、ＩＤ管理データベース２３１に代えて又は加えて、配信記録データベース３３３に登録されても良い。そのために、例えば、ＩＤ管理機器２又はサービス利用機器４が、１以上のチケットＩＤ及び／又は利用者機器ＩＤを配信サービス提供機器３に送信し、配信サービス提供機器３が、受信した１以上のチケットＩＤ及び／又は利用者機器ＩＤに対して任意のグループＩＤを割振り、そのグループＩＤに対応付けて１以上のチケットＩＤ及び／又は利用者機器ＩＤを配信記録データベース３３３に登録しても良い。
【０１４７】
また、例えば、配信サービス提供機器３は、同一グループに属する１以上のサービス利用機器４にコンテンツを配信する場合、それら１以上のサービス利用機器４にそれぞれチケットＩＤを問合せ、それに応答して各サービス利用機器４からチケットＩＤを受信し、そのチケットＩＤの照合結果がＯＫである場合に、各サービス利用機器４にコンテンツを配信しても良い。
【０１４８】
また、この第３実施形態によれば、１以上のチケットＩＤがグループ化されている。これにより、より多くの態様でコンテンツ配信サービスを提供することができる。
【０１４９】
次に、本発明の第４の実施形態について説明する。
【０１５０】
第４の実施形態では、サービス利用機器４が、外部機器と通話又はデータの送受信が可能である装置の場合、所定施設内に存在する場合には、サービス利用機器４の制御装置４２に読み込まれたコンピュータプログラムの制御により、サービス利用機器４が外部機器と通話及び／又はデータ送受信することが不可能になる。ここで、「通話及び／又はデータ送受信することが不可能になる」とは、通話においては、呼びを発すること及び呼びを受けることの一方又は双方、データ送受信においては、データを送信すること及び受信することの一方又は双方が不可能になることを意味する。また、上記コンピュータプログラムは、入退場管理機器１又は所定のＷＥＢサーバ等の外部機器から入力されたものであっても良いし、予めサービス利用機器４に備えられているものであっても良い。
【０１５１】
通話及び／又はデータ送受信が不可能になるケースとして、例えば以下のようなケースが考えられる。
【０１５２】
（１）サービス利用機器４が入退場管理機器１と近距離型無線通信システム等を介して通信可能になっている場合、サービス利用機器４が入退場管理機器１と所定通信を行うことで、サービス利用機器４の制御装置４２において入場が検出された場合。
【０１５３】
（２）サービス利用機器４にチケットＩＤが入力された場合。
【０１５４】
また、通話及び／又はデータ送受信が不可能から可能になるケースとして、例えば以下のようなケースが考えられる。
【０１５５】
（Ａ）サービス利用機器４が入退場管理機器１と近距離型無線通信システム等を介して通信可能になっている場合、サービス利用機器４が入退場管理機器１と所定通信を行うことで、サービス利用機器４の制御装置４２において退場が検出された場合（この場合、制御装置４２が、サービス利用機器４の記憶装置４３内のチケットＩＤを消去しても良い）。
【０１５６】
この第４の実施形態によれば、所定施設内（例えば電車内）において通話及び／又はデータ送受信が不可能になるので、通話等による他人への迷惑が防止される。また、上述したアクセスポイント端末１００が所定施設内に分散配置されていれば、サービス利用機器４を用いた通話及び／又はデータ送受信が不可能になっても、アクセスポイント端末１００を介してコンテンツの受信等を行えるので大きな支障はない。
【０１５７】
以上が、第４の実施形態についての説明である。なお、この第４の実施形態において、通話及び／又はデータ送受信が不可能になっても、第２実施形態で説明したような、アクセスポイント端末１００との近距離通信は可能にしても良い。
【０１５８】
次に、本発明の第５の実施形態について説明する。
【０１５９】
第５の実施形態では、チケットＩＤに、チケットＩＤ種別が含まれる。チケットＩＤ種別には、例えば、チケットの属性（例えば、チケットの有効期限、又は大人用か子供用か等）、及び／又はそのチケットを利用する利用者の属性（例えば、大人か子供か、性別、生年月日、及び／又は住所等）が含まれる。
【０１６０】
コンテンツ配信側装置（例えば、ＩＤ管理機器２又は配信サービス提供機器３）の記憶装置には、チケットＩＤ種別／コンテンツ関連テーブルが用意される。そのテーブルには、１以上のチケットＩＤ種別にそれぞれ対応したコンテンツ属性（例えば、コンテンツ識別情報）が登録されている。
【０１６１】
配信サービス提供機器３は、コンテンツを配信する場合、チケットＩＤに含まれるチケットＩＤ種別に基づいて、コンテンツを配信する。例えば、配信サービス提供機器３は、チケットＩＤについての照合結果ＯＫが得られても、要求されたコンテンツの属性が、そのチケットＩＤ中のチケットＩＤ種別に対応付けられていなければ、そのコンテンツを配信しないか、或いは、そのコンテンツに関連する別のコンテンツであって、そのチケットＩＤ種別に対応する属性を有するコンテンツを配信する（例えば、酒類の売り場を示すコンテンツの要求を受けた場合、チケットＩＤ種別から要求元は未成年であることが判別された場合は、酒類以外の飲料水の売り場を示すコンテンツを配信する）。
【０１６２】
以上が、第５実施形態についての説明である。
【０１６３】
なお、第５実施形態では、例えば、チケットＩＤ種別を含むチケットＩＤであって、サービス利用機器４が記憶し送信することができるチケットＩＤは、所定施設内で適宜に更新（例えば、変更、追加又は削除）されても良い。具体的には、例えば、利用者は、チケットをアクセスポイント端末１００に差し込む又はかざす等して、チケットとアクセスポイント端末１００を接触式又は非接触式で通信させることにより、チケットに付与されるチケットＩＤがアクセスポイント端末１００によって更新されても良い。また、例えば、利用者は、サービス利用機器４をアクセスポイント端末１００と通信させることにより、サービス利用機器４の記憶装置４３内のチケットＩＤを更新させても良い。所定施設内でチケットＩＤを適宜に変更することで、利用者は、所定施設内で受けられるサービスが変わる。
【０１６４】
この第５実施形態によれば、チケットＩＤが有するチケットＩＤ種別に基づくデジタルコンテンツが配信される。これにより、より多くの態様でコンテンツ配信サービスを提供することができる。
【０１６５】
なお、第３の実施例でグルーピング方法を用いた事例を説明したが、サービス利用機器を有する各ユーザの位置情報を把握するためにグルーピングを利用しても良い。具体的には、GPSなどを用いて、グルーピングされたチケットID又は機器IDを持つ機器の位置情報を各機器のディスプレイに表示する。こうすることで、グループ単位で行動したときの迷子対策や、グループ単位でディスプレイを使ったアトラクションを楽しむことができる。ここで、プライバシー保護のため、退場処理をしたあとは、位置情報を表示しないように制御してもよい。
【０１６６】
また、チケットIDと機器IDの関連付けを、１つのチケットIDに対して、複数の機器IDを関連付けたり、１つの機器IDに対して、複数のチケットIDを関連付けても良い。１つのチケットIDに対して、複数の機器IDを関連付けることで、例えば、家族割引などを実現することができる。また、１つの機器IDに対して、複数のチケットIDを関連付けることで、例えば、異なるサービスのチケットIDを入手したときでも、当該異なるサービス同士を関連付けたりすることができる。
【０１６７】
また、サービス利用機器が、所定のエリア内（例えば、所定施設内又はその施設内の特定エリア）に入ると、所定エリアに設けられている入場管理機器とサービス利用機器が通信することで、自動的にサービス利用機器が自機の通話機能やメール機能をオフにする、又はマナーモードに設定し、チケットIDをサービス利用機器で受け取るような形態でもよい。こうすることで、確実に、マナーを実現することができる。また、所定エリアで自動的に通話機能やメール機能をオフにすることで、ペースメーカーなどを使用している人に対するマナーにもなり、社会道徳的にも高いサービスを実現することができる。従って、病院などでのサービスも実現することができ得る。
【０１６８】
また、特にユーザが手動で退場処理しなくても、ゲートをくぐれば自動的に退場処理を行うような形態でも良い。そうすることで、ユーザはわずらわしい処理をすることなく、自動的に退場処理をすることができ、チケットIDや機器IDを管理する側からもその管理が容易である。
【０１６９】
以上、本発明の幾つかの実施形態を説明したが、これらは本発明の説明のための例示であって、本発明の範囲をこれらの実施形態にのみ限定する趣旨ではない。本発明は、他の種々の形態でも実施することが可能である。
【図面の簡単な説明】
【０１７０】
【図１】本発明の第１の実施形態に係るシステム全体の概要を示す。
【図２】本実施形態のシステム全体における各機器の構成を示す。
【図３】ＩＤ管理データベース２３１の一例を示す。
【図４】配信記録データベース３３４の一例を示す。
【図５】本発明の第１実施形態で利用者が所定施設に入場してから退場するまでに行われる処理流れの概要を示す。
【図６】サービス利用機器４の利用者にチケットＩＤの読取を促す画面の一例。
【図７】入退場管理機器１が利用者に精算を促す画面の一例。
【図８】本発明の第２の実施形態の要部を説明するための図。
【図９】本発明の第３実施形態における第２のグルーピング方法を説明するための図。
【符号の説明】
【０１７１】
１…入退場管理機器、２…ＩＤ管理機器、３…配信サービス提供機器、４…サービス利用機器、５…ネットワークＡ、６…ネットワークＢ、１１…通信装置、１２…制御装置、１３…記憶装置、１４…チケットＩＤ読取処理、１５…精算処理、２１…通信装置、２２…制御装置、２３…記憶装置、３１…通信装置、３２…制御装置、３３…記憶装置、４１…通信装置、４２…制御装置、４３…記憶装置、４４…チケットＩＤ読取装置、４５…入出力装置、１３１…Ｄ登録・抹消要求処理部、１３２…課金情報要求処理部、２３１…ＩＤ管理データベース、２３２…データベース処理部、２３３…サービス停止要求処理部、３３１…コンテンツ、３３２…コンテンツ配信処理部、３３３…配信記録データベース、３３４…データベース処理部、４３１…機器ＩＤ、４３２…コンテンツ要求処理部
【図１】
2005165406.tif 000003
【図２】
2005165406.tif 000004
【図３】
2005165406.tif 000005
【図４】
2005165406.tif 000006
【図５】
2005165406.tif 000007
【図６】
2005165406.tif 000008
【図７】
2005165406.tif 000009
【図８】
2005165406.tif 000010
【図９】
2005165406.tif 000011